(57)【要約】【課題】  ネットワークの輻輳を抑制することを可能にする。【解決手段】  無線アクセスネットワーク装置であって、送信装置から受信装置へデータが伝送される際に用いられるトランスポート層およびトランスポート層よりも上位の層の少なくともいずれかのプロトコルのヘッダにおいて、前記受信装置が受信可能なデータ量を表すパラメータの設定を行うよう構成された制御部と、端末装置と通信する通信部と、を有する無線アクセスネットワーク装置。【選択図】      図１
2018157325.tif 000002
【特許請求の範囲】
【請求項１】
無線アクセスネットワーク装置であって、
送信装置から受信装置へデータが伝送される際に用いられるトランスポート層およびトランスポート層よりも上位の層の少なくともいずれかのプロトコルのヘッダにおいて、前記受信装置が受信可能なデータ量を表すパラメータの設定を行うよう構成された制御部と、
端末装置と通信する通信部と、を有する
無線アクセスネットワーク装置。
【請求項２】
前記制御部は、前記端末装置に割り当てられた無線リソースの大きさを監視し、
前記無線リソースの大きさに基づいて前記パラメータの設定を行うよう構成された、請求項１に記載の無線アクセスネットワーク装置。
【請求項３】
前記制御部は、設定した前記パラメータに基づいて、前記端末装置に割り当てる無線リソースを制御する、請求項１に記載の無線アクセスネットワーク装置。
【請求項４】
前記送信装置が前記端末装置であり、前記受信装置がサーバ装置であるか、あるいは、
前記受信装置が前記端末装置であり、前記送信装置がサーバ装置である、請求項１乃至３のいずれかに記載の無線アクセスネットワーク装置。
【請求項５】
前記パラメータの設定は、前記パラメータの値を減らすよう設定する、請求項１乃至４のいずれかに記載の無線アクセスネットワーク装置。
【請求項６】
前記制御部は、前記トランスポート層におけるＴＣＰの接続確立を検知し、
前記ＴＣＰが接続している時間を計測し、
前記ＴＣＰが接続している時間が閾値を超えた場合に前記パラメータの設定を行うよう構成された、請求項１乃至５のいずれかに記載の無線アクセスネットワーク装置。
【請求項７】
前記制御部は、前記トランスポート層におけるＴＣＰの接続確立を検知し、
前記ＴＣＰの接続をしている端末装置の数を計測し、
前記ＴＣＰの接続をしている端末装置の数が閾値を超えた場合に前記パラメータの設定を行うよう構成された、請求項１乃至６のいずれかに記載の無線アクセスネットワーク装置。
【請求項８】
前記制御部は、前記トランスポート層におけるＵＤＰパケットを検知し、
前記ＵＤＰパケットのヘッダが示すポート番号を認識し、
前記ポート番号が一定である時間を計測し、
前記ポート番号が一定である時間が閾値を超えた場合に前記パラメータの設定を行うよう構成された、請求項１乃至７のいずれかに記載の無線アクセスネットワーク装置。
【請求項９】
前記制御部は、インターネット層におけるＩＰパケットを検知し、
前記ＩＰパケットのヘッダが示す送信元アドレスおよび送信先アドレスの少なくとも一方を認識し、
前記送信元アドレスおよび送信先アドレスの少なくとも一方が一定である時間が閾値を超えた場合に前記パラメータの設定を行うよう構成された、請求項１乃至８のいずれかに記載の無線アクセスネットワーク装置。
【請求項１０】
前記制御部は、設定した前記データ量を表すパラメータに基づいて、前記ヘッダにおけるチェックサムの値を計算して設定するよう構成された、
請求項１乃至９のいずれかに記載の無線アクセスネットワーク装置。
【発明の詳細な説明】
【技術分野】
【０００１】
本発明は、無線アクセスネットワーク装置に関する。
【背景技術】
【０００２】
端末装置が基地局およびネットワークを経由して通信する際の各装置間におけるプロトコルは、図１に示すように、階層に分けることができる。階層モデルとしては、ＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）階層モデルや国際標準化機構（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）により策定されたＯＳＩ（Ｏｐｅｎ  ＳＹＳＴＥＭｓ  Ｉｎｔｅｒｃｏｎｎｅｃｔｉｏｎ）参照モデルがある。図１においては階層モデルの一例として、ＴＣＰ／ＩＰ階層モデルに基づく階層を示している。
【０００３】
ＴＣＰ／ＩＰ階層モデルでは、階層は上位の層からアプリケーション層、トランスポート層、インターネット層、およびネットワークインターフェース層がある。トランスポート層よりも上位の層であるアプリケーション層は、トランスポート層のプロトコルを利用するアプリケーションが位置する層である。
【０００４】
このアプリケーション層は、ＯＳＩ参照モデルに基づくアプリケーション層、プレゼンテーション層、セッション層に相当する。またインターネット層は、ＯＳＩ参照モデルに基づくネットワーク層に相当する。
【０００５】
各階層のうち、端末装置と基地局との間における通信データの伝送はＰＤＣＰ（Ｐａｃｋｅｔ  Ｄａｔａ  Ｃｏｎｖｅｒｇｅｎｃｅ  Ｐｒｏｔｏｃｏｌ）が制御する。また、基地局とゲートウェイ装置との間における通信データの伝送をＧＴＰ−Ｕ（Ｇｅｎｅｒａｌ  Ｐａｃｋｅｔ  Ｒａｄｉｏ  Ｓｅｒｖｉｃｅ  Ｔｕｎｎｅｌｉｎｇ  Ｐｒｏｔｏｃｏｌ  ｆｏｒ  Ｕｓｅｒ  Ｐｌａｎｅ）が制御する。
【０００６】
トランスポート層のプロトコルとしては、例えばＴＣＰおよびＵＤＰ（Ｕｓｅｒ  Ｄａｔａｇｒａｍ  Ｐｒｏｔｏｃｏｌ）がある。またインターネット層のプロトコルとしては、ＩＰがある。ＩＰは、ＰＤＣＰおよびＧＴＰ−Ｕを使用して、端末装置とサーバ装置との間における通信データの伝送を制御する。
【０００７】
ＴＣＰはＩＰを利用して、端末装置とサーバ装置との間における通信データの伝送を制御する。つまり、トランスポート層およびインターネット層における通信データの終端点は、端末装置とゲートウェイ装置またはサーバ装置となる。
【０００８】
ここで、トランスポート層におけるＴＣＰの処理を取り上げて説明する。ＴＣＰは、通信データの先頭にヘッダをつけて伝送するプロトコルである。ヘッダを構成するフィールドのうちウィンドウサイズは、受信側が一度に受信することができるデータ量を送信側に通知するために使用されるパラメータである。言い換えるとウィンドウサイズは、送信側が受信確認をせずに一度に送信することができる通信データのサイズである。端末装置とサーバ装置との間では、このウィンドウサイズに基づく通信データが送信される。
【０００９】
ウィンドウサイズの制御については例えば特許文献１および特許文献２で、ゲートウェイ装置やサーバ装置が、バッファ容量や端末へ配信するコンテンツに基づいてウィンドウサイズを設定することが記載されている。
【先行技術文献】
【特許文献】
【００１０】
【特許文献１】特開２００４−１９３８４１
【特許文献２】特開２０１６−１７４２８７
【発明の概要】
【発明が解決しようとする課題】
【００１１】
ところで無線基地局は、無線状況に基づいて端末装置に無線リソースを割り当てる。ここで無線基地局によって端末装置に割り当てられた無線リソースの量が、例えばサーバ装置から端末装置へ送信されるデータのウィンドウサイズと相違するおそれがある。そうすると、端末装置およびサーバ装置との間で送受信されるデータ量が無線基地局を経由する前後で変化し、輻輳が発生し得る。
【課題を解決するための手段】
【００１２】
そこで本発明における無線アクセスネットワーク装置では、送信装置から受信装置へデータが伝送される際に用いられるトランスポート層およびトランスポート層よりも上位の層の少なくともいずれかのプロトコルのヘッダにおいて、前記受信装置が受信可能なデータ量を表すパラメータの設定を行うよう構成された制御部と、端末装置と通信する通信部と、を有することを特徴としている。
【発明の効果】
【００１３】
本発明の側面によれば、ネットワークの輻輳を抑制することができる。
【図面の簡単な説明】
【００１４】
【図１】一般的な通信システムにおける層構成を示すブロック図
【図２】本発明の実施形態に係る端末装置を示すシーケンス図
【図３】本発明の実施形態に係る無線アクセスネットワーク装置を示すシーケンス図
【図４】本発明の実施形態に係るサーバ装置を示すシーケンス図
【図５】本発明の実施形態に係るデータベースが記憶するデータの一例を示すデータテーブル
【図６】本発明の実施形態に係る動作を示す、フローチャート
【図７】本発明の実施形態に係る動作を示す、フローチャート
【図８】本発明の実施形態に係る動作を示す、フローチャート
【発明を実施するための形態】
【００１５】
以下、本発明の実施の形態について図面を参照して詳細に説明する。
【００１６】
（第１の実施形態）
本実施形態における各装置は、図１で示した通信システムに適用される。
【００１７】
図２は、本発明の実施形態に係る端末装置１を示すブロック図である。端末装置１は受信部１１、送信部１２、制御部１３、記憶部１４を有している。端末装置１は受信部１１および送信部１２を用いて無線アクセスネットワーク装置２と通信する。
【００１８】
図３は、本発明の実施形態に係る無線アクセスネットワーク装置２を示すブロック図である。無線アクセスネットワーク装置２は受信部２１、送信部２２、制御部２３、記憶部２４、バックホールインターフェース２５を有している。無線アクセスネットワーク装置２は受信部２１および送信部２２を用いて端末装置１と通信する。また無線アクセスネットワーク装置２はバックホールインターフェース２５を介してゲートウェイ装置３と接続する。
【００１９】
無線アクセスネットワーク装置２は基地局であってもよい。基地局は、ＮＢ（Ｎｏｄｅ  Ｂ）、ｅＮＢ（ｅＮｏｄｅ  Ｂ）、ＨＮＢ（Ｈｏｍｅ  Ｎｏｄｅ  Ｂ）やＨｅＮＢ（Ｈｏｍｅ  ｅＮｏｄｅ  Ｂ）であってもよい。この中でもｅＮｏｄｅＢは、Ｃｅｎｔｒａｌｉｚｅｄ  Ｒａｄｉｏ  Ａｃｃｅｓｓ  Ｎｅｔｗｏｒｋ（Ｃ−ＲＡＮ）アーキテクチャで使用されるＢａｓｅｂａｎｄ  Ｕｎｉｔ（ＢＢＵ）であってもよい。言い換えると、ｅＮｏｄｅＢは、１又は複数のＲｅｍｏｔｅ  Ｒａｄｉｏ  Ｈｅａｄ（ＲＲＨ）に接続されるＲＡＮ（Ｒａｄｉｏ  Ａｃｃｅｓｓ  Ｎｅｔｗｏｒｋ）ノードであってもよい。
【００２０】
無線アクセスネットワーク装置２は更に、公衆無線ＬＡＮ（Ｌｏｃａｌ  Ａｃｃｅｓｓ  Ｎｅｔｗｏｒｋ）や、社屋や家庭などで用いられる無線ＬＡＮのルーターであってもよい。
【００２１】
図４は、本発明の実施形態に係るゲートウェイ装置３を示すブロック図である。ゲートウェイ装置３は通信インターフェース部３１、記憶部３２、制御部３３を有している。
【００２２】
図５は、本発明の実施形態に係るサーバ４を示すブロック図である。サーバ装置４は通信インターフェース部４１、記憶部４２、制御部４３を有している。
【００２３】
本実施形態に係る動作について、図６を用いて説明する。
【００２４】
無線アクセスネットワーク装置２の制御部２３は、端末装置に割り当てられた無線リソースの大きさを監視する（ステップＳ１１）。無線リソースの大きさとは例えば、端末装置１やその他の端末装置に割り当てられている単位時間あたりのリソースブロック数、無線周波数帯域幅などである。
【００２５】
次に制御部２３は、監視した無線リソースの大きさに基づいて、送信装置から受信装置へデータが伝送される際に用いられるトランスポート層およびトランスポート層よりも上位の層の少なくともいずれかのプロトコルのヘッダにおいて、受信装置が受信可能なデータ量を表すパラメータの設定を行う（ステップＳ１２）。
【００２６】
トランスポート層のプロトコルは、例えばＴＣＰであってもよい。またトランスポート層よりも上位の層のプロトコルは、例えばサーバ装置とＷｅｂブラウザが利用するＨＴＴＰ（Ｈｙｐｅｒ  Ｔｅｘｔ  Ｔｒａｎｓｆｅｒ  Ｐｒｏｔｏｃｏｌ）、電子メールの送受信を行うためのＳＭＴＰ（Ｓｉｍｐｌｅ  Ｍａｉｌ  Ｔｒａｎｓｆｅｒ  Ｐｒｏｔｏｃｏｌ）、ＰＯＰ３（Ｐｏｓｔ  Ｏｆｆｉｃｅ  Ｐｒｏｔｏｃｏｌ）、ファイルを転送するために用いられるＦＴＰ（Ｆｉｌｅ  Ｔｒａｎｓｆｅｒ  Ｐｒｏｔｏｃｏｌ）などであってもよい。
【００２７】
制御部２３がパラメータを設定するプロトコルは、端末装置１からサーバ装置４へ送信されるアップリンクのＰＤＵ（Ｐｒｏｔｏｃｏｌ  Ｄａｔａ  Ｕｎｉｔ）におけるものであってもよいし、サーバ装置４から端末装置１へ送信されるダウンリンクのＰＤＵにおけるものであってもよい。
【００２８】
このプロトコルとは、例えばＵＤＰを介して端末装置１とサーバ装置４との間でデータが伝送される際に用いられるプロトコルであってもよい。このようなプロトコルは、例えば輻輳回避、フロー制御や再送処理の機能を持つものであってもよい。
【００２９】
ここで送信装置が端末装置であり、受信装置がサーバ装置であってもよい。また受信装置が端末装置であり、送信装置がサーバ装置であってもよい。
【００３０】
またデータ量を示すパラメータとは例えば、ウィンドウサイズであってもよい。上記パラメータの設定とは、例えばウィンドウサイズの値を減らす動作であってもよい。
【００３１】
制御部２３は例えば、実際に端末装置１に割り当てられている無線リソースの大きさが、上記のプロトコルのヘッダのパラメータで設定されている受信装置が受信可能なデータ量よりも小さいと判断した場合、当該パラメータで設定される受信装置が受信可能なデータ量を減らすように動作することができる。こうすることで制御部２３は、トランスポート層およびトランスポート層よりも上位の層の少なくともいずれかのプロトコルでサーバ装置４と端末装置１との間で送受信されるデータ量を、端末装置１に実際に割り当てられている無線リソースの大きさに対応させることができる。
【００３２】
（第２の実施形態）
本実施形態に係る動作について、図７を用いて説明する。
【００３３】
まず制御部２３は、ＰＤＣＰやＧＴＰ−Ｕを介して送受信されるＴＣＰやＩＰのＰＤＵを読み取ることにより、ＴＣＰの接続確立を検知する（ステップＳ２１）。
【００３４】
次に制御部２３は、ＴＣＰ接続が継続している接続時間を計測し（ステップＳ２２）、この接続時間が予め設定された閾値を超えたか否かを判定する（ステップＳ２３）。
【００３５】
接続時間が閾値を超えるまで、制御部２３はこの接続時間の計測を継続してもよい（ステップＳ２２）。
【００３６】
接続時間が閾値を超えた場合、制御部２３は送信装置から受信装置へデータが伝送される際に用いられるトランスポート層およびトランスポート層よりも上位の層の少なくともいずれかのプロトコルのヘッダにおいて、受信装置が受信可能なデータ量を表すパラメータの設定を行う（ステップＳ２４）。
【００３７】
トランスポート層のプロトコルは、例えばＴＣＰであってもよい。またトランスポート層よりも上位の層のプロトコルは、例えばＨＴＴＰ、ＳＭＴＰ、ＰＯＰ３、ＦＴＰなどであってもよい。
【００３８】
制御部２３がパラメータを設定するプロトコルは、端末装置１からサーバ装置４へ送信されるアップリンクのＰＤＵにおけるものであってもよいし、サーバ装置４から端末装置１へ送信されるダウンリンクのＰＤＵにおけるものであってもよい。
【００３９】
このプロトコルとは、例えばＵＤＰを介して端末装置１とサーバ装置４との間でデータが伝送される際に用いられるプロトコルであってもよい。このようなプロトコルは、例えば輻輳回避、フロー制御や再送処理の機能を持つものであってもよい。
【００４０】
ここで送信装置が端末装置であり、受信装置がサーバ装置であってもよい。また受信装置が端末装置であり、送信装置がサーバ装置であってもよい。
【００４１】
またデータ量を示すパラメータとは例えば、ウィンドウサイズであってもよい。上記パラメータの設定とは、例えばウィンドウサイズの値を減らす動作であってもよい。
【００４２】
制御部２３は、ＴＣＰヘッダとデータ部分のエラーチェックを行うために使用されるチェックサムの値を設定してもよい。つまり制御部２３は、ステップＳ２４で設定したデータ量を表すパラメータの値に基づいて、チェックサムの値を計算して書き換えてもよい。
【００４３】
制御部２３は、設定したデータ量を表すパラメータとチェックサムの値を有するヘッダが付与されたパケットを、端末装置１またはサーバ装置４へ送信する。制御部２３は、ＴＣＰ接続が切断されたことを検知するまでこの動作を継続してもよい。
【００４４】
次に、制御部２３は端末装置１に対する無線リソースの割り当て量を調整する（ステップＳ２４）。無線リソースの割り当て量の調整とは例えば、無線周波数の帯域幅を狭く、または広くする動作である。
【００４５】
上述した受信装置が受信可能なデータ量を表すパラメータの設定や無線リソースの割り当て量の調整は、例えば端末装置１に対して予め設定された優先度に応じて決定されてもよい。
【００４６】
本実施形態によれば、長時間ＴＣＰ接続をしている端末装置１に対し、トランスポート層およびトランスポート層よりも上位の層の少なくともいずれかのプロトコルのヘッダにおいて受信装置が受信可能なデータ量を表すパラメータを効率的に設定することが可能となる。さらに、設定したパラメータに基づいて無線リソースの制御を行うことも可能となる。
【００４７】
（第３の実施形態）
本実施形態に係る動作について、図８を用いて説明する。
【００４８】
制御部２３は、まずトランスポート層におけるＵＤＰパケットを検知し（ステップＳ３１）、ＵＤＰのプロトコルのヘッダにおけるポート番号を認識する（ステップＳ３２）。
【００４９】
次に制御部２３は、ステップＳ３２で認識したポート番号が一定である時間を継続し（ステップＳ３３）、ポート番号が一定である時間が閾値を超えたか否かを判定する（ステップＳ３４）。
【００５０】
この時間が閾値を超えるまで、制御部２３はこの時間の計測を継続してもよい（ステップＳ３３）。
【００５１】
ポート番号が一定である時間が閾値を超えた場合、制御部２３は送信装置から受信装置へデータが伝送される際に用いられるトランスポート層およびトランスポート層よりも上位の層の少なくともいずれかのプロトコルのヘッダにおいて、受信装置が受信可能なデータ量を表すパラメータの設定を行う（ステップＳ３５）。
【００５２】
トランスポート層のプロトコルは、例えばＴＣＰであってもよい。またトランスポート層よりも上位の層のプロトコルは、例えばＨＴＴＰ、ＳＭＴＰ、ＰＯＰ３、ＦＴＰなどであってもよい。
【００５３】
制御部２３がパラメータを設定するプロトコルは、端末装置１からサーバ装置４へ送信されるアップリンクのＰＤＵにおけるものであってもよいし、サーバ装置４から端末装置１へ送信されるダウンリンクのＰＤＵにおけるものであってもよい。
【００５４】
このプロトコルとは、例えばＵＤＰを介して端末装置１とサーバ装置４との間でデータが伝送される際に用いられるプロトコルであってもよい。このようなプロトコルは、例えば輻輳回避、フロー制御や再送処理の機能を持つものであってもよい。
【００５５】
ここで送信装置が端末装置であり、受信装置がサーバ装置であってもよい。また受信装置が端末装置であり、送信装置がサーバ装置であってもよい。
【００５６】
またデータ量を示すパラメータとは例えば、ウィンドウサイズであってもよい。上記パラメータの設定とは、例えばウィンドウサイズの値を減らす動作であってもよい。
【００５７】
また制御部２３は設定したパラメータに基づいて無線リソースの割り当て量を調整してもよい（ステップＳ３６）。ステップＳ３５およびステップＳ３６は、第２の実施形態で説明したステップＳ２４およびステップＳ２５と同様に行われてもよい。
【００５８】
なお本実施形態では制御部２３が、ＵＤＰパケットのポート番号が一定である時間を計測する形態について説明したが、ＵＤＰパケットポート番号の代わりにインターネット層におけるＩＰパケットが示す送信先および送信元のアドレスを用いてもよい。
【００５９】
本実施形態によれば、長時間ＵＤＰ通信をしている端末装置１に対し、送信装置から受信装置へデータが伝送される際に用いられるトランスポート層およびトランスポート層よりも上位の層の少なくともいずれかのプロトコルのヘッダにおいて受信装置が受信可能なデータ量を表すパラメータを効率的に設定することが可能となる。さらに、設定したパラメータに基づいて無線リソースの制御を行うことも可能となる。
【００６０】
以上、本発明の実施形態を説明した。本発明は上述した実施形態に限定されるものではなく、本発明の要旨の範囲内において種々に変形して実施をすることが可能である。上述した実施形態は例示であり、実施形態の組合せやそれらの各構成要素や各処理プロセスの組合せに様々な変形例が可能なこと、またそうした変形例も本発明の範囲にあることは、当業者に理解されるところである。
【００６１】
例えば、本明細書に記載されている処理におけるステップは、必ずしもシーケンス図に記載された順序に沿って時系列に実行されなくてよい。例えば、処理におけるステップは、シーケンス図として記載した順序と異なる順序で実行されても、並列的に実行されてもよい。
【００６２】
また、本明細書において説明した基地局は、例えば、通信処理部、要求部、情報取得部、及び／又は報告部等の構成要素を備えるものであってもよい。さらに、これらの構成要素を備えるモジュール（例えば、基地局装置、又は基地局装置のためのモジュール）が提供されてもよい。また、当該構成要素の処理を含む方法が提供されてもよく、当該構成要素の処理をプロセッサに実行させるためのプログラムが提供されてもよい。また、当該プログラムを記録した記録媒体が提供されてもよい。当然ながら、このようなモジュール、方法、プログラム及び記録媒体も本発明に含まれる。
【００６３】
また、本明細書において説明した端末装置は、例えば、ＲＦ（Ｒａｄｉｏ  Ｆｒｅｑｕｅｎｃｙ）トランシーバ、アンテナ、ベースバンドプロセッサ、アプリケーションプロセッサ、およびメモリ等の構成要素を有するものであってもよい。
【００６４】
ＲＦトランシーバ（ＲＦ）トランシーバは、基地局と通信するためにアナログＲＦ信号処理を行う。ＲＦトランシーバにより行われるアナログＲＦ信号処理は、周波数アップコンバージョン、周波数ダウンコンバージョン、及び増幅を含むものであってもよい。ＲＦトランシーバは、アンテナ及びベースバンドプロセッサと結合されるものであってもよい。すなわち、ＲＦトランシーバは、変調シンボルデータ（又はＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルデータ）をベースバンドプロセッサから受信し、送信ＲＦ信号を生成し、送信ＲＦ信号をアンテナに供給してもよい。また、ＲＦトランシーバは、アンテナによって受信された受信ＲＦ信号に基づいてベースバンド受信信号を生成し、これをベースバンドプロセッサに供給してもよい。
【００６５】
ベースバンドプロセッサは、無線通信のためのデジタルベースバンド信号処理（データプレーン処理）とコントロールプレーン処理を行う。デジタルベースバンド信号処理は、（ａ） データ圧縮／復元、（ｂ）データのセグメンテーション／コンカテネーション、（ｃ）伝送フォーマット（伝送フレーム）の生成／分解、（ｄ）伝送路符号化／復号化、（ｅ）変調（シンボルマッピング）／復調、及び（ｆ）Ｉｎｖｅｒｓｅ  Ｆａｓｔ  Ｆｏｕｒｉｅｒ  Ｔｒａｎｓｆｏｒｍ（ＩＦＦＴ）によるＯＦＤＭシンボルデータ（ベースバンドＯＦＤＭ信号）の生成等を含むものであってもよい。一方、コントロールプレーン処理は、レイヤ１（ｅ．ｇ．，送信電力制御）、レイヤ２（ｅ．ｇ．，無線リソース管理、及びｈｙｂｒｉｄ  ａｕｔｏｍａｔｉｃ  ｒｅｐｅａｔ  ｒｅｑｕｅｓｔ（ＨＡＲＱ）処理）、及びレイヤ３（ｅ．ｇ．，アタッチ、モビリティ、及び通話管理に関するシグナリング）の通信管理を含でもよい。
【００６６】
例えば、ＬＴＥ及びＬＴＥ−Ａｄｖａｎｃｅｄの場合、ベースバンドプロセッサによるデジタルベースバンド信号処理は、ＰＤＣＰ（Ｐａｃｋｅｔ  Ｄａｔａ  Ｃｏｎｖｅｒｇｅｎｃｅ  Ｐｒｏｔｏｃｏｌ）レイヤ、ＲＬＣ（Ｒａｄｉｏ  Ｌｉｎｋ  Ｃｏｎｔｒｏｌ）レイヤ、ＭＡＣ（Ｍｅｄｉｕｍ  Ａｃｃｅｓｓ  Ｃｏｎｔｒｏｌ）レイヤ、およびＰＨＹ（Ｐｈｙｓｉｃａｌ）レイヤの信号処理を含んでもよい。また、ベースバンドプロセッサ２００３によるコントロールプレーン処理は、ＮＡＳ（Ｎｏｎ−Ａｃｃｅｓｓ  Ｓｔｒａｔｕｍ）プロトコル、ＲＲＣ（Ｒａｄｉｏ  Ｒｅｓｏｕｒｃｅ  Ｃｏｎｔｒｏｌ）プロトコル、及びＭＡＣ  ＣＥ（ＭＡＣ  Ｃｏｎｔｒｏｌ  Ｅｌｅｍｅｎｔ）の処理を含んでもよい。
【００６７】
ベースバンドプロセッサは、デジタルベースバンド信号処理を行うモデム・プロセッサ（ｅ．ｇ．，ＤＳＰ（Ｄｉｇｉｔａｌ  Ｓｉｇｎａｌ  Ｐｒｏｃｅｓｓｏｒ））とコントロールプレーン処理を行うプロトコルスタック・プロセッサ（ｅ．ｇ．，ＣＰＵ（Ｃｅｎｔｒａｌ  Ｐｒｏｃｅｓｓｉｎｇ  Ｕｎｉｔ）、またはＭＰＵ（Ｍｉｃｒｏ  Ｐｒｏｃｅｓｓｉｎｇ  Ｕｎｉｔ））を含んでもよい。この場合、コントロールプレーン処理を行うプロトコルスタック・プロセッサは、後述するアプリケーションプロセッサと共通化されてもよい。
【００６８】
アプリケーションプロセッサは、ＣＰＵ、ＭＰＵ、マイクロプロセッサ、又はプロセッサコアとも呼ばれる。アプリケーションプロセッサは、複数のプロセッサ（複数のプロセッサコア）を含んでもよい。アプリケーションプロセッサは、メモリ又は図示されていないメモリから読み出されたシステムソフトウェアプログラム（ＯＳ（Ｏｐｅｒａｔｉｎｇ  Ｓｙｓｔｅｍ））及び様々なアプリケーションプログラム（例えば、通話アプリケーション、ＷＥＢブラウザ、メーラ、カメラ操作アプリケーション、音楽再生アプリケーション）を実行することによって、端末装置の各種機能を実現する。
【００６９】
いくつかの実装において、ベースバンドプロセッサ及びアプリケーションプロセッサは、１つのチップ上に集積されてもよい。言い換えると、ベースバンドプロセッサ及びアプリケーションプロセッサは、１つのＳｏＣ（Ｓｙｓｔｅｍ  ｏｎ Ｃｈｉｐ）デバイスとして実装されてもよい。ＳｏＣデバイスは、システムＬＳＩ（Ｌａｒｇｅ  Ｓｃａｌｅ  Ｉｎｔｅｇｒａｔｉｏｎ）またはチップセットと呼ばれることもある。
【００７０】
メモリは、揮発性メモリ若しくは不揮発性メモリ又はこれらの組合せである。メモリは、物理的に独立した複数のメモリデバイスを含んでもよい。揮発性メモリは、例えば、ＳＲＡＭ（Ｓｔａｔｉｃ  Ｒａｎｄｏｍ  Ａｃｃｅｓｓ  Ｍｅｍｏｒｙ）若しくはＤＲＡＭ（Ｄｙｎａｍｉｃ  ＲＡＭ）又はこれらの組み合わせである。不揮発性メモリは、マスクＭＲＯＭ（Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）、フラッシュメモリ、若しくはハードディスクドライブ、又はこれらの任意の組合せである。例えば、メモリは、ベースバンドプロセッサ、アプリケーションプロセッサ、及びＳｏＣからアクセス可能な外部メモリデバイスを含んでもよい。メモリは、ベースバンドプロセッサ内、アプリケーションプロセッサ内、又はＳｏＣ内に集積された内蔵メモリデバイスを含んでもよい。さらに、メモリは、ＵＩＣＣ（Ｕｎｉｖｅｒｓａｌ  Ｉｎｔｅｇｒａｔｅｄ  Ｃｉｒｃｕｉｔ  Ｃａｒｄ）内のメモリを含んでもよい。
【００７１】
メモリは、上述の複数の実施形態で説明された端末装置による処理を行うための命令群およびデータを含むソフトウェアモジュール（コンピュータプログラム）を格納してもよい。いくつかの実装において、ベースバンドプロセッサ又はアプリケーションプロセッサは、当該ソフトウェアモジュールをメモリから読み出して実行することで、上述の実施形態で説明された端末装置の処理を行うよう構成されてもよい。
【符号の説明】
【００７２】
１    端末装置
１１    受信部
１２    送信部
１３    制御部
１４    記憶部
２    無線アクセスネットワーク装置
２１    受信部
２２    送信部
２３    制御部
２４    記憶部
２５    バックホールインターフェース
３    ゲートウェイ装置
３１    通信インターフェース部
３２    記憶部
３３    制御部
４    サーバ装置
４１    通信インターフェース部
４２    記憶部
４３    制御部
【図１】
2018157325.tif 000003
【図２】
2018157325.tif 000004
【図３】
2018157325.tif 000005
【図４】
2018157325.tif 000006
【図５】
2018157325.tif 000007
【図６】
2018157325.tif 000008
【図７】
2018157325.tif 000009
【図８】
2018157325.tif 000010